(57)【要約】【課題】複数並べて配設される各コンタクトの接点位置の精度を向上させて、各コンタクトと接続相手側の各コンタクトに確実に適切な圧力で接続させること。【解決手段】ハウジング１１０は、複数のコンタクト１３０を並列して収容し、各接点部１３２を上面部１１１から突出させている。各コンタクト１３０は、ハウジング１１０に圧入して固定された圧入片部１３１と、接点部１３２が接続相手の基板２０の電極に押圧された際に弾性変形するアーム部１３３とを備える。ハウジング１１０は、接点部１３２の押圧方向に予め弾性変形させた状態のアーム部１３３に当接して、アーム部１３３が押圧方向とは逆方向へ復元することを規制する予圧付与部１４０を有する。予圧付与部１４０は、各コンタクト１３０に対応してハウジング１１０の上面部１１１の裏面に接点部１３２の押圧方向に一様に突出して、且つ、上面部１１１と一体的に形成されている。【選択図】図６
2010153260.tif 000002
【特許請求の範囲】
【請求項１】
接続相手のコンタクトに電気的に接触する接点部をそれぞれ備える複数のコンタクトと、前記複数のコンタクトを並列に、且つ、各コンタクトの接点部を一面部から突出させた状態で収容するハウジングとを有するコネクタにおいて、
前記各コンタクトは、前記ハウジングへ圧入して固定される圧入部と前記接点部との間に設けられ、前記接点部が前記接続相手のコンタクトに押圧された際に弾性変形する弾性片部を備え、
前記ハウジングには、前記接点部が押圧される方向に予め弾性変形させた状態の前記弾性片部に当接して、前記弾性片部が前記押圧される方向とは逆方向へ復元することを規制する予圧付与部が設けられ、
前記予圧付与部は、前記各コンタクトに対応して前記ハウジングの一面部の裏面に、前記各コンタクトの接点部の押圧方向に一様に突出して、且つ、前記一面部と一体的に形成されている、
コネクタ。
【請求項２】
前記予圧付与部は、前記弾性片部と面接触して、前記弾性片部の復元を規制する、
請求項１記載のコネクタ。
【請求項３】
前記コンタクトは、線状又は帯状の部材を折曲することによって形成され、
前記弾性片部は、前記ハウジング内で、前記一面部の裏面に沿って配置され一端部側で前記圧入部に連続する一辺部、及び、前記一辺部の他端部側が折曲されて、前記一面部の外方に突出し、前記接点部に連続する他辺部を有するアーム部を備え、
前記与圧付与部は、前記一辺部の他端部側で当接するように配設されている、
請求項１記載のコネクタ。
【発明の詳細な説明】
【技術分野】
【０００１】
本発明は、並べて配設された複数のコンタクトを備えるコネクタに関する。
【背景技術】
【０００２】
従来、電子機器を相互に接続して、電子機器間のデータや電力の送受を行うコネクタとしては、接続相手のコネクタが挿入される収容部を有し、この収容部内に、相手側のコンタクトに押圧されることによって接触するコンタクトを配設した構造が知られている。
【０００３】
例えば、特許文献１では、弾性変形自在な長尺板状のコンタクトが、先端側で開口する収容部を備えるハウジング内に、接続相手のコネクタのコンタクトと接触する接触部である先端部を、ハウジングの後端側から、収容部内に、突出するように設けている。
【０００４】
これにより、収容部に接続相手のコネクタが挿入された際に、コンタクトの接触部は、接続相手のコンタクトによって押圧されて変形しつつ接触、つまり圧接する。
【０００５】
このようなコネクタでは、コンタクトの接点位置を安定した位置となるように構成することが望まれている。
【０００６】
特許文献１のコネクタでは、ハウジングに圧入されるコンタクトを収容部の壁に押し付けるために、ハウジングとは別部材の補助治具がハウジングに組み込まれている。この補助治具をハウジングに組み込むことによって、コンタクトはハウジング内に収容部の壁に沿って圧入され、コンタクトの先端である接点部を、収容部内で所定の位置に位置させている。このように特許文献１のコネクタでは、コンタクトは、その先端の接点部の位置、つまり、接点位置が安定した位置に位置決めされた状態で、ハウジングに配設されている。
【特許文献１】特開２００４−１５２６４０号公報
【発明の開示】
【発明が解決しようとする課題】
【０００７】
しかしながら、従来のコネクタにおいては、ハウジングとは別部材の補助治具を用いて、複数のコンタクトの接触部を安定した位置に位置させているため、コネクタ自体が小型化した際に、小型化されたコンタクトとともに小型化された補助治具も必要となる。このため、コネクタ自体の組立が煩雑になるという問題がある。
【０００８】
また、コンタクトをハウジングに圧入する際に、ハウジングに補助治具を組み込み、コンタクトを押圧して、接触部の位置を位置決めするため、その押圧度合いによって、ハウジングに圧入されたコンタクトの接触部の位置にバラツキが生じる可能性がある。
【０００９】
本発明はかかる点に鑑みてなされたものであり、複数並べて配設される各コンタクトの接点位置の精度を向上させて、各コンタクトと接続相手側の各コンタクトに確実に適切な圧力で接続させることができるコネクタを提供することを目的とする。
【課題を解決するための手段】
【００１０】
本発明のコネクタは、接続相手のコンタクトに電気的に接触する接点部をそれぞれ備える複数のコンタクトと、前記複数のコンタクトを並列に、且つ、各コンタクトの接点部を一面部から突出させた状態で収容するハウジングとを有するコネクタにおいて、前記各コンタクトは、前記ハウジングへ圧入して固定される圧入部と前記接点部との間に設けられ、前記接点部が前記接続相手のコンタクトに押圧された際に弾性変形する弾性片部を備え、前記ハウジングには、前記接点部が押圧される方向に予め弾性変形させた状態の前記弾性片部に当接して、前記弾性片部が前記押圧される方向とは逆方向へ復元することを規制する予圧付与部が設けられ、前記予圧付与部は、前記各コンタクトに対応して前記ハウジングの一面部の裏面に、前記各コンタクトの接点部の押圧方向に一様に突出して、且つ、前記一面部と一体的に形成されている構成を採る。
【００１１】
なお、前記コンタクトは、線状又は帯状の部材を折曲することによって形成され、前記弾性片部は、前記ハウジング内で、前記一面部の裏面に沿って配置され一端部側で前記圧入部に連続する一辺部、及び、前記一辺部の他端部側が折曲されて、前記一面部の外方に突出し、前記接点部に連続する他辺部を有するアーム部を備え、前記与圧付与部は、前記一辺部の他端部側で当接するように配設されてもよい。これにより、コンタクトでは、弾性片部は、接点部が押圧された際の弾性変形に必要な長手方向の長さを、ハウジングの一面部に沿って延在させることなく、押圧方向に沿って延在させて確保できる。これによりコンタクトにおいてハウジングに収容される一側面部に沿った部分の長さ、つまり、コンタクトにおいて押圧方向と交差する方向の長さが短くなる。
【発明の効果】
【００１２】
本発明によれば、複数並べて配設される各コンタクトの接点位置の精度を向上させて、各コンタクトと接続相手側の各コンタクトに確実に適切な圧力で接続可能なコネクタを実現できる。また、コンタクトの長手方向のハウジングにおける寸法を短くしてハウジングの小型化が実現される。
【発明を実施するための最良の形態】
【００１３】
以下、本発明の実施の形態について、図面を参照して詳細に説明する。
【００１４】
図１〜図５は、本発明の一実施の形態に係るコネクタの構成を示す図であり、図１は同コネクタの平面図、図２は同コネクタの右側面図である。また、図３は同コネクタの正面図であり、図４は同コネクタの背面図であり、図５は同コネクタの底面図である。
【００１５】
図１〜図５に示すコネクタ１００は、ハウジング１１０と、ハウジング１１０の一面（ここでは上面部１１１の表面）から、接続相手である電子機器のコンタクトに接触する接点部１３２を突出させた状態でハウジング１１０内に収容された複数のコンタクト１３０とを有する。
【００１６】
コネクタ１００では、ハウジング１１０の上面部１１１に、接続相手である電子機器のコンタクト（図６に示す基板２０の裏面に配設される電極）を配置することによって、接点部１３２は、接続相手の電極と電気的に接続する。例えば、コネクタ１００は、二次電池を備える携帯型電子機器等の電子機器が載置されるクレードル３０（図６参照）に設けられ、クレードル３０に載置された電子機器側の電極と接続して、当該電子機器の二次電池に電源を供給する電源供給用コネクタとして使用される。
【００１７】
図１〜図５に示すハウジング１１０は、ここでは、絶縁樹脂等の絶縁材料によって直方体形状に形成されている。便宜上、ハウジング１１０において一辺に沿う方向を前後方向とし、前後方向に水平に略直交する方向を幅方向とし、前後方向で離間する端面部をそれぞれ正面部１１２、背面部１１３とする。
【００１８】
このハウジング１１０の内部には、コンタクト１３０を収容するコンタクト収容部１１５が前後方向に沿って、ハウジング１１０の隣り合う端面（ここでは、上面部１１１及び正面部１１２）どうしのそれぞれで開口して形成されている。ここでは、コンタクト収容部１１５は、ハウジング１１０に、コンタクト数に対応して幅方向に所定のピッチで並列に並べて複数形成されている。
【００１９】
ハウジング１１０の正面側で開口するコンタクト収容部１１５の開口１１５ａは、コンタクトが圧入によって挿入される挿入口として機能する。なお、ハウジング１１０の上面部１１１で開口する開口１１５ｂ内には、接点部１３２が、出没自在に突出して配置されている。
【００２０】
図６は、本発明の一実施の形態に係るコネクタを基板に実装した状態を示す要部断面図である。
【００２１】
図６に示すようにコネクタ１００は、クレードル３０等の筐体内に配設された基板３１に実装され、コネクタ１００上に、接続相手としての基板２０が載置されている。なお、図６では、コネクタ１００を備えるクレードル３０の筐体の一部として底面部３２を図示している。
【００２２】
図６に示すように、ハウジング１１０の上面部１１１には、上面部１１１において、コンタクト収容部１１５の上方の部位に形成された後端側開口縁部１１６の裏面に下方に突出して、予圧付与部１４０が形成されている。
【００２３】
予圧付与部１４０は、コンタクト１３０の接点部１３２の押圧方向（接点部１３２が押圧される方向）に予め弾性変形させた状態の弾性片部１３６に当接して、弾性片部１３６が押圧方向とは逆方向へ復元することを規制する。ここでは、予圧付与部１４０は、コンタクト収容部１１５内に配設される各コンタクト１３０を上方から一様に押圧した状態となっており、コンタクト１３０に予圧を付与している。
【００２４】
予圧付与部１４０は、ハウジング１１０を成形する際に、ハウジング１１０自体に一体的に形成されている。
【００２５】
具体的には、予圧付与部１４０は、ハウジング１１０の上面部１１１から、ハウジング１１０内のコンタクト収容部１１５内に向かって、コンタクト収容部１１５毎に一様に突出して形成されている。言い換えれば、予圧付与部１４０は、ハウジング１１０の上面部１１１の裏面に、各コンタクト１３０のそれぞれに対応して、各コンタクト１３０の接点部１３２の押圧方向に一様に突出して形成されている。
【００２６】
この構成により、予圧付与部１４０は、コンタクト収容部１１５内に配設されたコンタクト１３０毎に、ハウジング１１０の上面部１１１から突出する部位の基端部分を接点部１３２の手前側で下方に押圧する。これにより、ハウジング１１０の上面部１１１から突出する部分の接点部１３２の高さ位置を所定の位置に位置決めしている。
【００２７】
なお、予圧付与部１４０は、コンタクト収容部１１５がハウジング１１０内において幅方向で連続する一つの空間領域として形成されていれば、ハウジング１１０の上面部１１１から下方に突出し、ハウジング１１０内において幅方向に延在する突条体として形成してもよい。
【００２８】
コンタクト１３０は、コンタクト収容部１１５の底面部１１７内に、圧入によって固定される圧入片部１３１と、先端に接点部１３２を備えるアーム部１３３と、アーム部１３３と圧入片部１３１とを連結する湾曲部１３４と、リード部１３５と、を有する。
【００２９】
コンタクト１３０は、弾性変形自在な線状または帯状の導電部材、ここでは、長尺細長板状の金属片を加工することによって形成され、接点部１３２を、ハウジング１１０の上面部１１１より上方に出没自在に突出させてコンタクト収容部１１５内に配設されている。
【００３０】
圧入片部１３１は、リード部１３５、湾曲部１３４、アーム部１３３及び接点部１３２よりも幅広に形成されている。なお、圧入片部１３１の幅広の両側辺部１３１ａ（図１、図３及び図５参照）には、図示しない抜け止め係止片部が形成され、これを底面部１１７に形成された圧入片部１３１用挿入溝内の両側壁部分の段部に突き当てて係止させている。
【００３１】
圧入片部１３１は、ハウジング１１０の正面側から、コンタクト収容部１１５の底面部１１７に圧入されることによって、幅広の両側辺部１３１ａ（図１、図３及び図５参照）で、コンタクト収容部１１５の底面部１１７、つまり、ハウジング１１０の底面部１１７内に固定される。これにより、コンタクト１３０はハウジング１１０に固定される。
【００３２】
この圧入片部１３１は、一端部で連続するＵ字状の湾曲部１３４を介して、圧入片部１３１の上方で、所定間隔を空けて対向して配置されたアーム部１３３に連結されている。
【００３３】
アーム部１３３は、湾曲部１３４から上方に延びるように設けられ、先端に従って圧入片部１３１から離間する形状をなしている。アーム部１３３は、ハウジング１１０内で、上面部１１１の裏面に沿って配置され、基端部（一端部）側で湾曲部１３４を介して圧入辺部１３１に連続する一辺部１３３ａと、一辺部１３３ａの他端部側が折曲されて、上面部１１１の外方に突出して、先端で、接点部１３２に連続する他辺部１３３ｂとを有する。
【００３４】
アーム部１３３は、湾曲部１３４とともに、圧入片部１３１への接触方向及び離間方向に撓む板バネとして機能し、コンタクト１３０における弾性片部１３６を構成している。  また、アーム部１３３では、他辺部１３３ｂを、ハウジング１１０の上面部１１１に沿って延在させることなく、一辺部１３３ａから折曲させて押圧方向に沿って延在させることによって、接点部１３２が押圧された際の弾性変形に必要な長手方向の長さを確保している。これにより、コンタクト１３０の長手方向の長さを短くでき、このコンタクト１３０を収容するハウジング１１０を小型化することができる。
【００３５】
接点部１３２は、アーム部１３３において一辺部１３３ａから上方に屈曲して延び、且つ、ハウジング１１０の上面部から上方に突出するる他辺部１３３ｂと、他辺部１３３ｂの先端部から延びる辺部を逆Ｕ字状に折曲した頂点部分として形成されている。この頂点部分で、接続相手の電極（ここでは基板２０の裏面に形成された電極）と電気的に接触する。
【００３６】
リード部１３５は、圧入片部１３１がコンタクト収容部１１５の底面部１１７に固定されることによって、ハウジング１１０の正面側から略水平に突出した状態で配置されている。リード部１３５は、コネクタ１００を基板３１に実装した際に、基板３１のパターンに接続される。なお、リード部１３５は、電線に接続される構成としてもよい。
【００３７】
このように構成されたコンタクト１３０では、通常時では、アーム部１３３が予圧付与部１４０によって上方への移動が規制されるため、図６の破線で示す形状をなす。
【００３８】
そして、接点部１３２が、接続相手となる基板２０の電極によって上方から押圧されることによって、湾曲部１３４及びアーム部１３３が弾性変形によって撓み、接点部１３２自体は下方、つまりコンタクト収容部側に移動する。なお、このコンタクト１３０の状態を図６では実線で示している。
【００３９】
コンタクト１３０は、コンタクト収容部１１５内において、予圧付与部１４０によって、アーム部１３３が下方に押圧された状態で配設されている。
【００４０】
これにより、ハウジング１１０に配設された複数のコンタクト１３０は、ハウジング１１０に一体的に一様に形成された予圧付与部１４０によって、接点部１３２の手前側のアーム部１３３に予圧が付与される。これにより、アーム部１３３の先端で連続する接点部１３２の高さ位置を同じ高さ位置に配置された状態となっている。
【００４１】
ここでは、コンタクト１３０では、金属片の一端部をリード部１３５とし、リード部１３５に連続する圧入片部１３１の先端から延出される部位を屈曲して湾曲部１３４として形成している。加えて、湾曲部１３４の先端から延出される部位をアーム部１３３とし、このアーム部１３３の先端から延びる部位を、圧入片部１３１から離間する方向に山形に屈曲し、その山形の頂点部分を接点部１３２として形成している。
【００４２】
本実施の形態では、湾曲部１３４の湾曲度合いは、アーム部１３３と圧入片部１３１との距離を、コンタクト収容部１１５に配置された際の距離よりも広くしている。よって、コンタクト１３０をハウジング１１０のコンタクト収容部１１５に開口１１５ａ側から圧入するだけで、先端に接点部１３２が形成されたアーム部１３３は、コンタクト収容部１１５内で、予圧付与部１４０によって圧入片部１３１側に押圧された状態で配設されることになる。
【００４３】
本実施の形態のコネクタ１００によれば、複数のコンタクト１３０を、各コンタクト１３０に対応するハウジング１１０のコンタクト収容部１１５内にそれぞれの開口１１５ａから圧入して組み立てるだけで、それぞれ接点部１３２の高さ位置を揃えることができる。つまり、ハウジング１１０に複数のコンタクト１３０が配設される構成であっても、それぞれのコンタクト１３０における接点部１３２の高さにバラツキが発生しないコネクタを容易に組立てることができる。
【００４４】
コネクタ等の電子部品を形成する各構成要素は、それぞれの要素の製造過程において、部品状態における公差と、これら各構成要素を組み込む際の組み込み公差が発生する。例えば、複数のコンタクト１３０としては、通常、アーム部１３３と圧入片部１３１との離間度合いが異なる等の部品公差がある。本コネクタ１００の構成では、部品公差のある複数のコンタクト１３０をハウジング１１０に設ける場合、コンタクト１３０をハウジング１１０に圧入するだけで、接点部１３２の高さ位置が揃うように配設でき、組み込む際に発生する組立公差を解消できる。
【００４５】
詳細には、これらコンタクト１３０をハウジング１１０に圧入すると、各コンタクト１３０において接点部１３２の手前側の弾性変形部分（アーム部１３３）が、同一形状でハウジング１１０の上面部１１１に一体的に形成された予圧付与部１４０によって、一様に押圧される。これにより、複数のコンタクト１３０は、ハウジング１１０において、接点部１３２の高さ位置が揃った状態で配設される。
【００４６】
よって、コネクタ１００では、ハウジング１１０に複数並べて配設される各コンタクト１３０の接点位置の精度を向上させて、各コンタクト１３０と相手側の各コンタクトに確実に適切な圧力で接続させることができる。また、コネクタ１００では、コネクタ自体が小型化され、複数のコンタクト１３０がハウジング１１０に狭ピッチで配設される場合でも、ハウジング１１０の予圧付与部１４０によって、各コンタクト１３０の接点位置の精度を向上させて、各コンタクト１３０と相手側の各コンタクトに確実に適切な圧力で接続させることができる。
【００４７】
また、本実施の形態に係るコネクタ１００の予圧付与部１４０において、コンタクト１３０（詳細にはアーム部１３３）に当接する部分の形状を、当接するコンタクト１３０の形状に対応した形状としてもよい。この一例を変形例として図７を用いて説明する。
【００４８】
図７は、本発明の一実施の形態に係るコネクタにおける予圧付与部の変形例を示す断面図である。
【００４９】
図７に示すコネクタ１００Ａは、コネクタ１００と比較して、予圧付与部１４０の構成のみ異なるコネクタである。コネクタ１００Ａは、ハウジング１１０の上面部１１１において、後端側開口縁部１１６の裏面に予圧付与部１４１を備え、この予圧付与部１４１は、当接するアーム部１３３の形状に対応したテーパ面１４２を有する。
【００５０】
予圧付与部１４１は、ハウジング１１０に配設されるコンタクト１３０毎に、接点部１３２の押圧方向に予め弾性変形させた状態の弾性片部１３６にテーパ面１４２で面接触して、弾性片部１３６が押圧方向とは逆方向へ復元することを規制する。これにより、予圧付与部１４１は、ハウジング１１０のコンタクト収容部１１５内にコンタクト１３０を圧入して配置するだけで、テーパ面１４２の略全面で、アーム部１３３に上方から接触し、当該アーム部１３３を下方に面で押圧する。
【００５１】
このようにコネクタ１００Ａでは、コネクタ１００よりも安定してコンタクト１３０に予圧を付与することができ、接点部１３２を所定の高さ位置に配置することができる。
【００５２】
また、予圧付与部１４１は、ハウジング１１０の上面部１１１を成形する際に、幅方向で並ぶコンタクト収容部１１５の上方で、且つコンタクト収容部１１５を幅方向で仕切る側壁部とともにそれぞれ一様に形成できる。このため、成形されたハウジング１１０に、複数のコンタクト１３０のそれぞれを圧入によって組み込むだけで、コンタクト１３０の接点部１３２の高さ位置が揃ったコネクタを容易に組み立てることができる。
【００５３】
なお、上記本発明は、本発明の精神を逸脱しない限り、種々の改変をなすことができ、そして本発明が該改変させたものに及ぶことは当然である。
【産業上の利用可能性】
【００５４】
本発明に係るコネクタは、複数並べて配設される各コンタクトの接点位置の精度を向上させて、各コンタクトと接続相手側の各コンタクトに確実に適切な圧力で接続させることができる効果を有し、二次電池を電源とする携帯電話、ＰＤＡ、携帯型音楽再生器等の携帯型端末を充電するためのクレードルに設けられるコネクタとして有用である。
【図面の簡単な説明】
【００５５】
【図１】本発明の一実施の形態に係るコネクタの平面図
【図２】本発明の一実施の形態に係るコネクタの右側面図
【図３】本発明の一実施の形態に係るコネクタの正面図
【図４】本発明の一実施の形態に係るコネクタの背面図
【図５】本発明の一実施の形態に係るコネクタの底面図
【図６】本発明の一実施の形態に係るコネクタを基板に実装した状態を示す要部断面図
【図７】本発明の一実施の形態に係るコネクタにおける予圧付与部の変形例を示す断面図
【符号の説明】
【００５６】
２０  基板
３０  クレードル
３１  基板
１００、１００Ａ  コネクタ
１１０  ハウジング
１１１  上面部
１１２  正面部
１１３  背面部
１１５  コンタクト収容部
１１６  後端側開口縁部
１１７  底面部
１３０  コンタクト
１３１  圧入片部
１３２  接点部
１３３  アーム部
１３３ａ  一辺部
１３３ｂ  他辺部
１３４  湾曲部
１３５  リード部
１３６  弾性片部
１４０、１４１  予圧付与部
１４２  テーパ面
【図１】
2010153260.tif 000003
【図２】
2010153260.tif 000004
【図３】
2010153260.tif 000005
【図４】
2010153260.tif 000006
【図５】
2010153260.tif 000007
【図６】
2010153260.tif 000008
【図７】
2010153260.tif 000009